(57)【要約】【課題】２枚の折れ戸が互いに接触する召し合せ部を有する折れ戸における電磁波シールドをより確実に行うこと。【解決手段】建造物の導電性を有する間口に、少なくとも２枚の導電性を有する折れ戸からなる中折れ開き戸を設け、間口と中折れ開き戸の少なくともいずれか一方の全周囲に電磁波シールド用ガスケットを取り付けた折れ戸における電磁波シールド装置において、折れ戸同士の召し合せ部に電磁波シールド用ガスケットを取り付け、召し合せ部におけるいずれか一方の折れ戸に、この一方の折れ戸を間口の上横枠に係止する上端係止部と、この一方の折れ戸を間口の下横枠に係止する下端係止部と、一方の折れ戸に他方の折れ戸を圧接する中間係止部とからなる圧接手段を設けて電磁波シールドを確実にしている。【選択図】  図１
2010053526.tif 000002
【特許請求の範囲】
【請求項１】
建造物の導電性を有する間口に、少なくとも２枚の導電性を有する折れ戸からなる中折れ開き戸を設け、前記間口と中折れ開き戸の少なくともいずれか一方の全周囲に電磁波シールド用ガスケットを取り付けた折れ戸における電磁波シールド装置において、
前記折れ戸同士の召し合せ部に電磁波シールド用ガスケットを取り付け、前記召し合せ部におけるいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたことを特徴とする折れ戸における電磁波シールド装置。
【請求項２】
上端係止部と下端係止部は、それぞれ回転部材と、この回転部材と一体で上横枠と下横枠にそれぞれ形成した係止孔の受圧突起に係脱する係止ローラとからなり、中間係止部は、回転部材と、この回転部材と一体で他方の折れ戸の受圧突起に圧接する加圧ローラと、この回転部材と一体のハンドルとからなり、このハンドルの操作で前記上端係止部，下端係止部及び中間係止部の回転部材を連動棒で連結して一連に回動せしめてなることを特徴とする請求項１記載の折れ戸における電磁波シールド装置。
【請求項３】
中折れ開き戸は、一側部をヒンジで間口の縦枠に連結した一方の折れ戸と、この一方の折れ戸の他側部にヒンジで連結した他方の折れ戸との少なくとも２枚の折れ戸で構成されていることを特徴とする請求項１又は２記載の折れ戸における電磁波シールド装置。
【請求項４】
中折れ開き戸は、２枚からなり、それぞれの中折れ開き戸は、一側部をヒンジで間口の縦枠に連結した一方の折れ戸と、この一方の折れ戸の他側部にヒンジで連結した他方の折れ戸との少なくとも２枚の折れ戸からなり、それぞれの中折れ開き戸における２枚の折れ戸同士をヒンジで連結したいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設け、前記２枚の中折れ開き戸における折れ戸同士の召し合せ部の一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたことを特徴とする請求項１又は２記載の折れ戸における電磁波シールド装置。
【請求項５】
受圧突起は、テーパー部を有し、係止ローラ又は加圧ローラが回動して乗りあがって圧接するようにしたことを特徴とする請求項１又は２記載の折れ戸における電磁波シールド装置。
【発明の詳細な説明】
【技術分野】
【０００１】
本発明は、折れ戸の召し合せ部分における電磁波シールド効果をより確実にした折れ戸における電磁波シールド装置に関するものである。
【背景技術】
【０００２】
スイングにより開閉する開き戸において、シールドルームの出入り口などの建造物の間口全周囲と扉との接触部分にシールド装置を取り付けたものは種々知られている（特許文献１、特許文献２）。
図１３は、特許文献１を示しており、１枚の電磁波シールド開き戸１０をスイングで開閉する片開きタイプであり、図１４（ａ）（ｂ）は、特許文献２を示しており、２枚の電磁波シールド開き戸１０をスイングで開閉する両開きタイプである。
【０００３】
図１４に示した電磁波シールド開き戸１０は、周囲の枠体１１にヒンジ１２によりスイングする片開きタイプとして構成され、この電磁波シールド開き戸１０は、絶縁物の芯材の両面を電磁波シールド面材とし、周端部に形成した段部でこれら両面の電磁波シールド面材同士が電気的に非導通となっている。この１枚の電磁波シールド開き戸１０における内側の全周囲に突状部１３を取り付け、外側の全周囲に溝付き保持材１５により電磁波シールド用ガスケット１４を取り付け、また、枠体１１の内側の全周囲に、前記電磁波シールド開き戸１０の突状部１３に接離するように溝付き保持材１５により電磁波シールド用ガスケット１４を取り付け、枠体１１の外側の全周囲に、前記電磁波シールド開き戸１０の電磁波シールド用ガスケット１４に接離する突状部１３を取り付けることにより２重シールドを施したものである。
さらに、電磁波シールド開き戸１０の両面に連動するハンドル１６を設け、このハンドル１６の先端に、前記枠体１１に設けたストッパ部材１８に係合する当接部材１７が設けられている。
【０００４】
図１４（ａ）（ｂ）に示した電磁波シールド開き戸１０は、両側の枠体１１に電磁波シールド開き戸１０がヒンジ１２により両開き状態に取り付けられ、前記枠体１１の上枠と縦枠部分における電磁波シールド開き戸１０との接触部に溝付き保持材１５を介して２列の電磁波シールド用ガスケット１４が設けられると共に、電磁波シールド開き戸１０の周囲の段部２０に遮音用ガスケット１９が設けられている。また、召し合せ部２１の部分にも２列の電磁波シールド用ガスケット１４と遮音用ガスケット１９が設けられている。
電磁波シールド開き戸１０の扉下端部２２には、収納溝３０が形成され、この収納溝３０内の水平シールド材２３がハンドルの操作で連結棒２８により上下動自在に収納されている。この水平シールド材２３は、収納溝３０の内側の摺動板２７に水平枠材２９の両側の摺動子２６が摺動し、また、水平枠材２９の下端部の接触子２４が沓摺り２５に接離するように構成されている。
【特許文献１】特開２００５−２８２１１３号公報
【特許文献２】特開２００３−６９２７４号公報
【発明の開示】
【発明が解決しようとする課題】
【０００５】
図１３に示すものは、一枚の電磁波シールド開き戸１０に２重の電磁波シールド用ガスケット１４を設け、また、ハンドル１６で電磁波シールド用ガスケット１４と突状部１３との接触をより確実にしているという特徴を有する。
しかし、これは、電磁波シールド開き戸１０と枠体１１との間の電磁波シールド効果が保持されるとしても、折れ戸には、そのままでは採用できない。すなわち、２枚の電磁波シールド開き戸１０が互いに接触する召し合せ部がどうしてもやや浮きあがるため、特許文献１に記載の片開き戸に関する電磁波シールドの発明をそのまま利用することができない。
図１４に示すものは、召し合せ部２１の部分も、２列の電磁波シールド用ガスケット１４で電磁波シールド効果を持たせているが、２枚の電磁波シールド開き戸１０が互いに接触する召し合せ部を確実に圧着する手段がなく、召し合せ部がやや浮きあがるという問題があった。
本発明は、折れ戸同士が互いに接触する召し合せ部における電磁波シールドをより確実に行うことを目的とするものである。
【課題を解決するための手段】
【０００６】
本発明による折れ戸における電磁波シールド装置は、建造物の導電性を有する間口に、少なくとも２枚の導電性を有する折れ戸からなる中折れ開き戸を設け、前記間口と中折れ開き戸の少なくともいずれか一方の全周囲に電磁波シールド用ガスケットを取り付けた折れ戸における電磁波シールド装置において、前記折れ戸同士の召し合せ部に電磁波シールド用ガスケットを取り付け、前記召し合せ部におけるいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたことを特徴とする。
前記上端係止部と下端係止部は、それぞれ回転部材と、この回転部材と一体で上横枠と下横枠にそれぞれ形成した係止孔の受圧突起に係脱する係止ローラとからなり、中間係止部は、回転部材と、この回転部材と一体で他方の折れ戸の受圧突起に圧接する加圧ローラと、この回転部材と一体のハンドルとからなり、このハンドルの操作で前記上端係止部，下端係止部及び中間係止部の回転部材を連動棒で連結して一連に回動せしめてなることを特徴とする。
中折れ開き戸は、２枚からなり、それぞれの中折れ開き戸は、一側部をヒンジで間口の縦枠に連結した一方の折れ戸と、この一方の折れ戸の他側部にヒンジで連結した他方の折れ戸との少なくとも２枚の折れ戸からなり、それぞれの中折れ開き戸における２枚の折れ戸同士をヒンジで連結したいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設け、前記２枚の中折れ開き戸における折れ戸同士の召し合せ部の一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたことを特徴とする。
【発明の効果】
【０００７】
請求項１記載の発明によれば、建造物の導電性を有する間口に、少なくとも２枚の導電性を有する折れ戸からなる中折れ開き戸を設け、前記間口と中折れ開き戸の少なくともいずれか一方の全周囲に電磁波シールド用ガスケットを取り付けた折れ戸における電磁波シールド装置において、前記折れ戸同士の召し合せ部に電磁波シールド用ガスケットを取り付け、前記召し合せ部におけるいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたので、２枚の折れ戸が召し合せ部で浮き上がるのを防止し、かつ、隣接する折れ戸同士を密着させて電磁波シールドをより確実に行うことができる。
特に、ＭＲＩ室などの狭い部屋に大きな装置を設置する場合、装置搬入のための大きな開口を必要とする。このような場合に採用される折れ戸からなる中折れ開き戸の電磁波シールドをより確実に行うことができる。
【０００８】
請求項２記載の発明によれば、上端係止部と下端係止部は、それぞれ回転部材と、この回転部材と一体で上横枠と下横枠にそれぞれ形成した係止孔の受圧突起に係脱する係止ローラとからなり、中間係止部は、回転部材と、この回転部材と一体で他方の折れ戸の受圧突起に圧接する加圧ローラと、この回転部材と一体のハンドルとからなり、このハンドルの操作で前記上端係止部，下端係止部及び中間係止部の回転部材を連動棒で連結して一連に回動せしめてなる構成としたので、開き戸の間口への固定と、開き戸同士の密着操作を１回のハンドル操作で行うことができる。
【０００９】
請求項３記載の発明によれば、中折れ開き戸は、一側部をヒンジで間口の縦枠に連結した一方の折れ戸と、この一方の折れ戸の他側部にヒンジで連結した他方の折れ戸との少なくとも２枚の折れ戸で構成したので、２枚以上の中折れ開き戸からなるものの電磁波シールドをより確実に行うことができる。
【００１０】
請求項４記載の発明によれば、中折れ開き戸は、２枚からなり、それぞれの中折れ開き戸は、一側部をヒンジで間口の縦枠に連結した一方の折れ戸と、この一方の折れ戸の他側部にヒンジで連結した他方の折れ戸との少なくとも２枚の折れ戸からなり、それぞれの中折れ開き戸における２枚の折れ戸同士をヒンジで連結したいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設け、前記２枚の中折れ開き戸における折れ戸同士の召し合せ部の一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設けたので、ヒンジで連結した折れ戸同士の召し合せ部のみならず、２枚の中折れ開き戸における折れ戸同士の召し合せ部が構成されているものにも本発明を適用することができる。
【００１１】
請求項５記載の発明は、受圧突起は、テーパー部を有し、係止ローラ又は加圧ローラが回動して乗りあがって圧接するようにしたので、固定及び圧接操作が簡単でより確実になる。
【発明を実施するための最良の形態】
【００１２】
本発明は、建造物の導電性を有する間口に、少なくとも２枚の導電性を有する折れ戸からなる中折れ開き戸を設け、前記間口と中折れ開き戸の少なくともいずれか一方の全周囲に電磁波シールド用ガスケットを取り付けた折れ戸における電磁波シールド装置に適用される。
前記折れ戸同士の召し合せ部に電磁波シールド用ガスケットを取り付け、前記召し合せ部におけるいずれか一方の折れ戸に、この一方の折れ戸を前記間口の上横枠に係止する上端係止部と、この一方の折れ戸を前記間口の下横枠に係止する下端係止部と、一方の折れ戸に他方の折れ戸を圧接する中間係止部とからなる圧接手段を設ける。
上端係止部と下端係止部は、それぞれ回転部材と、この回転部材と一体で上横枠と下横枠にそれぞれ形成した係止孔の受圧突起に係脱する係止ローラとからなり、中間係止部は、回転部材と、この回転部材と一体で他方の折れ戸の受圧突起に圧接する加圧ローラと、この回転部材と一体のハンドルとからなり、このハンドルの操作で前記上端係止部，下端係止部及び中間係止部の回転部材を連動棒で連結して一連に回動せしめる。
【００１３】
中折れ開き戸は、少なくとも一側部をヒンジで間口の縦枠に連結した一方の折れ戸と、この一方の折れ戸の他側部にヒンジで連結した他方の折れ戸との少なくとも２枚の折れ戸で構成されている。
中折れ開き戸は、より具体的には、一側部をヒンジで間口の縦枠に連結した一方の折れ戸と、この一方の折れ戸の他側部にヒンジで連結した他方の折れ戸との少なくとも２枚の折れ戸で構成した２枚からなる。そして、それぞれの中折れ開き戸における２枚の折れ戸同士をヒンジで連結したいずれか一方の折れ戸に、前記間口の上横枠に係止する上端係止部と、前記間口の下横枠に係止する下端係止部と、一方の折れ戸に他方の折れ戸を圧接する中間係止部とを有する圧接手段を設け、前記２枚の中折れ開き戸における折れ戸同士の召し合せ部の一方の折れ戸に、前記間口の上横枠に係止する上端係止部と、前記間口の下横枠に係止する下端係止部と、一方の折れ戸に他方の折れ戸を圧接する中間係止部とを有する圧接手段を設ける。
【実施例１】
【００１４】
図１乃至図４において、導電性を有する両側の縦枠３２、上横枠３３ａ，下横枠３３ｂで構成される建造物の間口におけるシールドルーム側は、開き戸を開閉するためのスペースが少ないが、できるだけ大きな開口をとるために、２枚ずつの折れ戸３１ａ，３１ｂと３１ｃ，３１ｄで構成された２枚の中折れ開き戸３１が設けられている例を示している。
前記中折れ開き戸３１は、ハニカムコアなどの芯材に、珪素鋼板を貼り付け、さらに全面にステンレススチールなどの導電性金属板を貼り付け、電磁波シールドが装備されているものである。
本発明は、折れ戸３１ａと３１ｂの間、折れ戸３１ｃと３１ｄの間、折れ戸３１ｂと３１ｃの間の召し合せ部の電磁波シールドをより確実に行おうとするものである。ここで、電磁波シールドの対象となる召し合せ部とは、具体的には、中折れ開き戸３１において、図１のヒンジ３５で連結した折れ戸３１ａと３１ｂの間のガスケット付き召し合せ部４８ａと、折れ戸３１ｃと３１ｄの間のガスケット付き召し合せ部４８ａであって、折れ戸が互いにヒンジ３５で連結しつつ屈曲して接離するものを指すとともに、２枚の中折れ開き戸３１の折れ戸３１ｂと３１ｄのように、ヒンジなしで開閉時に離れるガスケット付き召し合せ部４８ａをも指すものとする。
【００１５】
まず、図１に示す４枚の折れ戸からなる中折れ開き戸３１を説明すると、この中折れ開き戸３１は、左右２枚ずつの折れ戸３１ａ，３１ｂと，折れ戸３１ｃ，３１ｄで構成されている。
これらのうち、図中左端の折れ戸３１ａは、一方の縦枠３２にヒンジ３５でスイングによりシールドルーム側に開閉自在に取り付けられ、同様に、図中右端の折れ戸３１ｃは、他方の縦枠３２にヒンジ３５でスイングによりシールドルーム側に開閉自在に取り付けられている。
前記折れ戸３１ａには、折れ戸３１ｂが前記縦枠３２側のヒンジ３５と反対面に取り付けたヒンジ３５で互いに屈曲自在に取り付けられ、同様に、前記折れ戸３１ｃには、折れ戸３１ｄが前記縦枠３２側のヒンジ３５と反対面に取り付けたヒンジ３５で屈曲自在に取り付けられている。
【００１６】
図３に示すように、前記両側の縦枠３２におけるヒンジ３５の反対側に、導電性を有する金属板で取り付け溝４３を形成し、この取り付け溝４３に電磁波シールド用ガスケット４２を嵌め込み、同様に図４に示すように、上横枠３３ａ，下横枠３３ｂに形成した取り付け溝４３と床面３４に形成した取り付け溝４３にも電磁波シールド用ガスケット４２を嵌め込み、間口の全周囲に電磁波シールド用ガスケット４２が取り付けられている。
この電磁波シールド用ガスケット４２は、図１０に示すように、弾力性のあるゴム製チューブ４４に、導電性金網４５を被せたものである。この電磁波シールド用ガスケット４２は、ゴム製チューブ４４の当接片４６側を扉の角部５０に向けて取り付け溝４３に収納し、圧接させる。当接片４６の接触圧を弱くするときには、側面の切り落とし片４７を切り取れるように切り落とし片４７の両側を肉薄に連結してある。
【００１７】
図３に示すように、前記電磁波シールド用ガスケット４２は、ヒンジ３５で連結された折れ戸３１ａと３１ｂの間にも取り付けられる。この場合、折れ戸３１ｂ側のヒンジ３５と反対面に、折れ戸３１ａ側にやや突出するガスケット付き召し合せ部４８ａが設けられ、この召し合せ部４８ａに取り付け溝４３を形成し、この取り付け溝４３に電磁波シールド用ガスケット４２を嵌め込み、他方の折れ戸３１ａの角部５０に対峙させる。この召し合せ部４８ａにおける垂直な電磁波シールド用ガスケット４２は、その上下端部が可能な限り隙間なく上横枠３３ａと床面３４に接することが好ましい。
図中の右側の折れ戸３１ｃと３１ｄの間にも同様にして電磁波シールド用ガスケット４２が取り付けられる。この場合、折れ戸３１ｄ側に電磁波シールド用ガスケット４２を嵌め込み、折れ戸３１ｃの角部５０に対峙させる。
さらに、電磁波シールド用ガスケット４２は、ヒンジで連結されていないために、開閉時に互いに離れる一方の折れ戸３１ｂに、他方の折れ戸３１ｄの角部５０に対峙させて取り付けられる。
【００１８】
本発明は、電磁波シールド用ガスケット４２を取り付けただけでなく、中折れ開き戸３１の閉鎖時に電磁波シールド用ガスケット４２を介在して、折れ戸３１ａと３１ｂの間、折れ戸３１ｃと３１ｄの間、折れ戸３１ｂと３１ｃの間を確実に圧接させる圧接手段６３の機構を有している。
折れ戸３１ａと３１ｂとのヒンジによる屈曲部分に取り付けられた圧接手段６３は、上端係止部３８ａ，中間係止部３８ｂ，中間係止部３８ｃ，下端係止部３８ｄで構成されている。
図１及び図５（ａ）において、折れ戸３１ａと３１ｂの召し合せ部４８ａにおける折れ戸３１ａの側縁部付近には、上下端部と、中間部２箇所の４か所に回転部材３８が回転軸５４と軸受板６２によって回動可能に取り付けられている。
前記折れ戸３１ａの下端部に設けた下端係止部３８ｄの回転部材３８は、図５（ａ）、図１１及び図９（ｂ）に示すように、水平線から約３５度下側に位置して連動棒３７の角棒５１がピン５３により回動可能に連結されている。また、この回転部材３８には、下向きに係止ローラ５５が取り付けられている。この係止ローラ５５に対応した下横枠３３ｂには、逃げ孔５６が穿設され、この逃げ孔５６に臨ませて係止板５７が取り付けられる。この係止板５７には、前記係止ローラ５５が嵌合される係止孔５８が穿設され、この係止孔５８の内側の支持板５９には、テーパー部６０を有する受圧突起４０が取り付けられる。そして、係止ローラ５５が図５（ａ）の鎖線状態から回転部材３８と一体に図中の反時計回りに約７０度回動して係止孔５８に嵌合し、さらに受圧突起４０のテーパー部６０に乗り上げて折れ戸３１ａが図１１及び図９（ｂ）における右側に移動するのを規制する。前記受圧突起４０に重ねられる調整ライナー６１は、受圧突起４０を取り付けるとき、１ないし複数枚介在して位置調整が行われる。
【００１９】
前記折れ戸３１ａの上端部に設けた上端係止部３８ａの回転部材３８は、図１１に示すものを上下反転したものと略同一構造で、異なるのは、回転部材３８が図５（ａ）に示すように、約１２５度のくの字に形成され、水平線から約３５度下側に位置して連動棒３７の角棒５１がピン５３により回動可能に連結され、この回転部材３８には、上向きに係止ローラ５５が取り付けられている。そして、係止ローラ５５が回転部材３８と一体に図中反時計回りに約７０度回動して係止孔５８に嵌合し、さらに受圧突起４０のテーパー部６０に乗り上げて中折れ開き戸３１が図９（ａ）において右側に移動するのを規制する。
【００２０】
前記折れ戸３１ａの上から２番目に設けた中間係止部３８ｂの回転部材３８は、図５（ａ）及び図６（ａ）に示すように、折れ戸３１ａの表裏を貫通した回転軸５４が軸受板６２で軸支され、両端部にそれぞれ回転部材３８が取り付けられている。前記ヒンジ３５の反対面における折れ戸３１ｂの側縁部にガスケット付き召し合せ部４８ａが設けられ、この召し合せ部４８ａの取り付け溝４３に取り付けた電磁波シールド用ガスケット４２が折れ戸３１ａの角部５０に対峙している。この召し合せ部４８ａの正面側には、図１１に示したものと同一の受圧突起４０が、テーパー部６０側を下にして取り付けられている。前記回転軸５４のヒンジ３５と反対側に突出して固着すされた回転部材３８は、約１４５度に屈曲しており、水平から約３５度の位置でピン５３により連動棒３７の角棒５１と連結されている。また、図中の水平端部には、受圧突起４０に圧接しつつ移動する加圧ローラ３９が設けられている。
【００２１】
前記折れ戸３１ａの上から３番目に設けた中間係止部３８ｃの回転部材３８は、図５（ａ）及び図６（ｂ）に示すように、折れ戸３１ａの表裏を貫通した回転軸５４が軸受板６２で軸支され、両端部にそれぞれ回転部材３８が取り付けられている。前記ヒンジ３５の反対面における折れ戸３１ｂの側縁部にガスケット付き召し合せ部４８ａが設けられ、この召し合せ部４８ａの取り付け溝４３に取り付けた電磁波シールド用ガスケット４２が折れ戸３１ａの角部５０に対峙している。この召し合せ部４８ａの正面側には、図１１に示したものと同一の受圧突起４０が、テーパー部６０側を下にして取り付けられている。前記回転軸５４のヒンジ３５と反対側に突出して固着された回転部材３８は、約１４５度に屈曲しており、水平から約３５度の位置でピン５３により連動棒３７の角棒５１と連結されており、さらに同一角度でハンドル３６が取り付けられている。また、図中の水平端部には、受圧突起４０に圧接しつつ移動する加圧ローラ３９が設けられている。前記ヒンジ３５と同一面の回転部材３８には、反対面と同様にハンドル３６が取り付けられている。
図５（ａ）に示す４か所の上端係止部３８ａ，中間係止部３８ｂ，中間係止部３８ｃ，下端係止部３８ｄ間の角棒５１は、丸棒５２で連結されて１本の連動棒３７を構成している。
【００２２】
前記折れ戸３１ｃと３１ｄの屈曲部分に取り付けられた上端係止部３８ａ，中間係止部３８ｂ，中間係止部３８ｃ，下端係止部３８ｄからなる圧接手段６３は、図７（ａ）（ｂ）に示されるように構成され、閉じるときに中間係止部３８ｃのハンドル３６を時計方向に回す。図５（ａ）の場合、閉じるときにハンドル３６を反時計方向に回すように構成されているのとの違いがあるが、同様の構成である。
【００２３】
ヒンジで連結されていない前記折れ戸３１ｂと３１ｄの間のガスケット付き召し合せ部４８ａとガスケットなし召し合せ部４８ｂの部分における圧接手段６３は、図５（ｂ）、図８（ａ）（ｂ）に示される。そして、折れ戸３１ｂ側に電磁波シールド用ガスケット４２を有するガスケット付き召し合せ部４８ａを設け、折れ戸３１ｄ側にガスケットなし召し合せ部４８ｂを設けている。閉じるときにハンドル３６を時計方向に回すように構成されているのは、前記折れ戸３１ｃと３１ｄの結合部分の圧接手段６３と同様である。ただし、ガスケット付き召し合せ部４８ａの取り付け面が表裏異なるので、回転部材３８に設けた加圧ローラ３９の位置が異なるが、ほぼ同一構造である。
【００２４】
以上のように構成された中折れ開き戸３１の開閉動作を説明する。
中折れ開き戸３１が図２の鎖線状態に解放されているものとすると、図５（ａ）に示すように、連動棒３７が上昇しピン５３を介して上端係止部３８ａ，中間係止部３８ｂ，中間係止部３８ｃ，下端係止部３８ｄのすべての回転部材３８が鎖線の状態にある。この状態でシールドルーム側から閉じる場合、折れ戸３１ａと３１ｂが１枚の開き戸状になるように押し込みながら図３の左端のように、折れ戸３１ａの角部５０を間口側の電磁波シールド用ガスケット４２に接触させる。
この図５（ａ）に示す鎖線状態で中間係止部３８ｃのハンドル３６を反時計方向に約７０度回転して実線位置にする。すると、上端係止部３８ａと下端係止部３３ｄのそれぞれの係止ローラ５５が係止孔５８に嵌合し、受圧突起４０のテーパー部６０から乗りあがり、上横枠３３ａと下横枠３３ｂに係止され、折れ戸３１ａの位置が固定される。同時に図６（ａ）（ｂ）に示すように、中間係止部３８ｂと中間係止部３８ｃの加圧ローラ３９が受圧突起４０のテーパー部６０側から乗りあがり、折れ戸３１ａと３１ｂを１枚の固定された中折れ開き戸３１にして固定する。
【００２５】
次いで、折れ戸３１ｃと３１ｄを１枚の開き戸状になるように押し込みながら図３の右端のように、折れ戸３１ｃの角部５０を間口側の電磁波シールド用ガスケット４２に接触させる。
この状態から折れ戸３１ｃの中間係止部３８ｃのハンドル３６を時計方向に約７０度回転して実線位置にする。すると、上端係止部３８ａと下端係止部３３ｄのそれぞれの係止ローラ５５が係止孔５８に嵌合し、受圧突起４０のテーパー部６０から乗りあがり、上横枠３３ａと下横枠３３ｂに係止され、折れ戸３１ｃの位置が固定される。同時に図７（ａ）（ｂ）に示すように、中間係止部３８ｂ，中間係止部３８ｃの加圧ローラ３９が受圧突起４０のテーパー部６０側から乗りあがり、折れ戸３１ｃと３１ｄを１枚の固定された中折れ開き戸３１に固定する。
【００２６】
左右の折れ戸３１ａと３１ｂ、折れ戸３１ｃと３１ｄがそれぞれ１枚の中折れ開き戸３１となった状態で、ガスケット付き召し合せ部４８ａ，ガスケットなし召し合せ部４８ｂが付き合わされるが、ここで、図５（ｂ）に示す鎖線状態で中間係止部３８ｃのハンドル３６を時計方向に約７０度回転して実線位置にする。すると、上端係止部３８ａと下端係止部３３ｄのそれぞれの係止ローラ５５が係止孔５８に嵌合し、受圧突起４０のテーパー部６０から乗りあがり、上横枠３３ａと下横枠３３ｂに係止され、折れ戸３１ｄの位置が固定される。同時に図８（ａ）（ｂ）に示すように、中間係止部３８ｂ，中間係止部３８ｃの加圧ローラ３９が反対面にあるガスケット付き召し合せ部４８ａに設けた受圧突起４０のテーパー部６０側から乗りあがり、２枚の中折れ開き戸３１がすべての電磁波シールド用ガスケット４２に中折れ開き戸３１の角部５０が密着して閉鎖される。したがって、４枚の折れ戸３１ａ，３１ｂ，３１ｃ，３１ｄからなる中折れ開き戸３１は、電磁波から確実に遮断される。
【００２７】
中折れ開き戸３１を開放するときは、以上の操作を逆におこなえばよい。
中折れ開き戸３１をシールドルーム側でなく、外側から開閉するには、中折れ開き戸３１の表裏に連動するハンドル３６があるので、外側のハンドル３６を操作して行う。
【実施例２】
【００２８】
前記図１及び図２に示す実施例では、折れ戸３１ａ（又は折れ戸３１ｃ）と縦枠３２とを結合するヒンジ３５の位置に対して、折れ戸３１ａと３１ｂ（又は折れ戸３１ｃと３１ｄ）とを結合するヒンジ３５の位置が反対面になっているが、図１２に示すように同一側にして屈曲方向を変えるようにしてもよい。
前記図１及び図２に示す実施例では、中折れ開き戸３１が左右２枚ずつで構成されているが、これに限られるものではなく、いずれか一方だけを中折れ開き戸３１とし、他方は直接縦枠３２に接離したり、１枚の開き戸４１に接離するものであってもよい。さらに３枚以上をヒンジで連結した折れ戸からなるものであってもよい。
【図面の簡単な説明】
【００２９】
【図１】本発明による折れ戸における電磁波シールド装置の一実施例を示すもので、中折れ開き戸３１側から見た正面図である。
【図２】図１の中折れ開き戸３１の平面図である。
【図３】図２の圧接手段６３を省略して電磁波シールド用ガスケット４２を詳細に示した横断平面図である。
【図４】図２の圧接手段６３を省略して電磁波シールド用ガスケット４２を詳細に示した縦断側面図である。
【図５】図１における圧接手段６３の詳細な正面図である。
【図６】（ａ）は、図１のＡ−Ａ線断面図、（ｂ）は、図１のＢ−Ｂ線断面図である。
【図７】（ａ）は、図１のＣ−Ｃ線断面図、（ｂ）は、図１のＤ−Ｄ線断面図である。
【図８】（ａ）は、図１のＥ−Ｅ線断面図、（ｂ）は、図１のＦ−Ｆ線断面図である。
【図９】（ａ）は、図１の上端係止部３８ａの縦断面図、（ｂ）は、図１の下端係止部３８ｄの線縦断面図である。
【図１０】本発明に用いた電磁波シールド用ガスケット４２の斜視図である。
【図１１】本発明の下端係止部３８ｄの分解斜視図である。
【図１２】本発明の他の実施例を示す平面図である。
【図１３】特許文献１に示した扉の電磁波シールド装置の平面図である。
【図１４】特許文献２に示した扉の電磁波シールド装置であって、（ａ）は、一部切り欠いた平面図、（ｂ）は、一部切り欠いた斜視図である。
【符号の説明】
【００３０】
１０…電磁波シールド開き戸、１１…枠体、１２…ヒンジ、１３…突状部、１４…電磁波シールド用ガスケット、１５…溝付き保持材、１６…ハンドル、１７…当接部材、１８…ストッパ部材、１９…遮音用ガスケット、２０…段部、２１…召し合せ部、２２…扉下端部、２３…水平シールド材、２４…接触子、２５…沓摺り、２６…摺動子、２７…摺動板、２８…連結棒、２９…水平枠材、  ３０…収納溝、３１…中折れ開き戸、３１ａ…折れ戸、３１ｂ…折れ戸、３１ｃ…折れ戸、３１ｄ…折れ戸、３２…縦枠、３３…横枠、３３ａ…上横枠、３３ｂ…下横枠、３４…床面、３５…ヒンジ、３６…ハンドル、３７…連動棒、３８…回転部材、３８ａ…上端係止部、３８ｂ…中間係止部、３８ｃ…中間係止部、３８ｄ…下端係止部、３９…加圧ローラ、４０…受圧突起、４２…電磁波シールド用ガスケット、４３…取り付け溝、４４…ゴム製チューブ、４５…導電性金網、４６…当接片、４７…切り落とし片、４８…召し合せ部、４８ａ…ガスケット付き召し合せ部、４８ｂ…ガスケットなし召し合せ部、４９…突起部、５０…角部、５１…角棒、５２…丸棒、５３…ピン、５４…回転軸、５５…係止ローラ、５６…逃げ孔、５７…係止板、５８…係止孔、５９…支持板、６０…テーパー部、６１…調整ライナー、６２…軸受板、６３…圧接手段。
【図１】
2010053526.tif 000003
【図２】
2010053526.tif 000004
【図３】
2010053526.tif 000005
【図４】
2010053526.tif 000006
【図５】
2010053526.tif 000007
【図６】
2010053526.tif 000008
【図７】
2010053526.tif 000009
【図８】
2010053526.tif 000010
【図９】
2010053526.tif 000011
【図１０】
2010053526.tif 000012
【図１１】
2010053526.tif 000013
【図１２】
2010053526.tif 000014
【図１３】
2010053526.tif 000015
【図１４】
2010053526.tif 000016